(57)【要約】【課題】映像を外部装置に出力する場合に消費電力の低減と、出力先での映像の記録を適切に行う。【解決手段】出力装置は、撮像手段により撮像される映像を表示手段に表示する表示機能と、映像を外部装置に出力する出力機能とを制御する制御手段を有する。制御手段は、表示機能を実行し、かつ出力機能を実行していない、という状態で、出力装置に対してユーザ操作のない無操作状態が所定の時間継続した場合、表示機能を制限すると共に、撮像手段による撮像を停止し、表示機能を実行し、かつ出力機能を実行している、という状態で、出力装置に対してユーザ操作のない無操作状態が所定の時間継続した場合、表示機能を制限すると共に、撮像手段による撮像を継続するように制御する。【選択図】図６Ｂ
2020005105.tif 000002
【特許請求の範囲】
【請求項１】
表示手段と、
外部装置に映像を出力可能な出力手段と、
前記映像の出力を制御する制御手段と、を有し、
前記制御手段は、出力装置に対して操作のない無操作状態が所定の時間継続した場合に、
前記映像が前記表示手段に表示されている状態ならば、前記表示手段を非表示とし、
前記映像が前記表示手段に表示され、前記外部装置に出力されている状態ならば、前記表示手段を非表示とし、前記外部装置への映像出力は継続するように制御することを特徴とする出力装置。
【請求項２】
前記映像を撮像する撮像手段をさらに有し、
前記制御手段は、前記撮像手段により撮像された映像を前記表示手段に表示し、前記出力手段を介して前記外部装置に出力可能であることを特徴とする請求項１に記載の出力装置。
【請求項３】
前記制御手段は、前記無操作状態が所定の時間継続した場合に、前記映像が前記表示手段だけに表示されている状態ならば、前記表示手段を非表示とし前記撮像手段による撮像を停止し、
前記映像が前記表示手段に表示され、前記外部装置に出力されている状態ならば、前記表示手段を非表示とし前記撮像手段による撮像は継続するように制御することを特徴とする請求項２に記載の出力装置。
【請求項４】
前記制御手段は、前記無操作状態が所定の時間継続した場合に、前記映像が前記外部装置だけに出力されている状態ならば、前記外部装置への映像の出力を停止し前記撮像手段での撮像を停止するように制御することを特徴とする請求項３に記載の出力装置。
【請求項５】
前記制御手段は、前記映像が前記外部装置だけに出力される場合は、前記映像に当該映像とは異なる表示情報が重畳された映像データを前記外部装置に出力するように制御することを特徴とする請求項１から４のいずれか１項に記載の出力装置。
【請求項６】
表示手段と、
外部装置に映像を出力可能な出力手段と、
映像の出力を制御する制御手段と、を有し、
前記制御手段は、出力装置に対して操作のない状態が所定の時間継続した場合に、
前記外部装置に前記映像と当該映像とは異なる表示情報が出力されている状態ならば、前記映像および前記表示情報の出力を停止し、
前記映像が出力されていて、かつ当該映像とは異なる表示情報が出力されていない状態ならば、当該映像の出力を継続するように制御することを特徴とする出力装置。
【請求項７】
前記外部装置は、前記映像を記録可能な機器であって、
前記制御手段は、前記外部装置に映像を出力している状態で、前記映像の記録を開始または停止するコマンドを前記外部装置に出力することを特徴とする請求項１から６のいずれか１項に記載の出力装置。
【請求項８】
前記映像の出力先を設定可能な設定手段をさらに有し、
前記制御手段は、前記映像を前記表示手段と前記外部装置に同時表示する設定であった場合であっても、前記出力装置の動作状態が静止画撮影、画像再生およびメニュー表示のいずれかであった場合は前記外部装置への映像の出力を行わないように制御することを特徴とする請求項１から７のいずれか１項に記載の出力装置。
【請求項９】
前記設定手段は、前記出力装置に対して操作のない無操作状態が所定の時間継続した場合に、前記外部装置への映像の出力を停止するか否かを設定可能であること特徴とする請求項８に記載の出力装置。
【請求項１０】
前記制御手段は、前記映像を前記表示手段と前記外部装置に同時表示する設定であった場合に、前記出力装置に対して操作のない無操作状態が所定の時間継続しても前記表示手段を非表示としない、または前記所定の時間を延長するような制御が可能であり、
前記映像が前記外部装置だけに出力される設定であった場合は、前記無操作状態が所定の時間継続したときに前記表示手段を非表示とするように制御することを特徴とする請求項８に記載の出力装置。
【請求項１１】
前記映像を前記外部装置だけに出力する設定にした場合に、前記映像に当該映像とは異なる表示情報が重畳されており、前記出力装置に対して操作のない無操作状態が所定の時間継続すると前記映像の出力が停止されることを通知する通知手段をさらに有することを特徴とする請求項８に記載の出力装置。
【請求項１２】
表示手段と、
外部装置に映像を出力可能な出力手段と、
前記映像の出力を制御する制御手段と、を有する出力装置の制御方法であって、
出力装置に対して操作のない無操作状態が所定の時間継続した場合に、
前記映像が前記表示手段に表示されている状態ならば、前記表示手段を非表示とし、
前記映像が前記表示手段に表示され、前記外部装置に出力されている状態ならば、前記表示手段を非表示とし、前記外部装置への映像出力は継続することを特徴とする制御方法。
【請求項１３】
表示手段と、
外部装置に映像を出力可能な出力手段と、
映像の出力を制御する制御手段と、を有する出力装置の制御方法であって、
出力装置に対して操作のない状態が所定の時間継続した場合に、
前記外部装置に前記映像と当該映像とは異なる表示情報が出力されている状態ならば、前記映像および前記表示情報の出力を停止し、
前記映像のみが出力されている状態ならば、当該映像の出力を継続することを特徴とする制御方法。
【請求項１４】
コンピュータを、請求項１から１１のいずれか１項に記載された出力装置として機能させるためのプログラム。
【発明の詳細な説明】
【技術分野】
【０００１】
本発明は、外部装置に映像データを出力する技術に関する。
【背景技術】
【０００２】
従来、デジタルカメラなどの撮像装置には映像を表示するモニタが設けられており、ユーザはモニタに表示されるライビュー画像を見ながら撮影を行うことができる。また、ユーザが一定時間継続して装置を操作しない場合に、モニタの電源をオフして消費電力を低減する制御が行われている（特許文献１）。
【先行技術文献】
【特許文献】
【０００３】
【特許文献１】特開２０１５−２２２８７９号公報
【発明の概要】
【発明が解決しようとする課題】
【０００４】
また、撮像装置には、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）と呼ばれる通信インターフェースが搭載されている。ＨＤＭＩ（登録商標）に準拠した通信インターフェースで接続される機器は、ソース（Ｓｏｕｒｃｅ）装置とシンク（Ｓｉｎｋ）装置とのいずれかまたは両方の役割を担う。ソース装置は、映像データをＨＤＭＩ（登録商標）を介して送信することができる。シンク装置は、ソース装置からの映像データをＨＤＭＩ（登録商標）を介して受信し、受信した映像データを表示装置に表示する。
【０００５】
このような外部装置への映像出力時でも、消費電力を低減するために一定時間の無操作によって映像出力を停止することが考えられる。しかしながら、出力先が表示装置ではなく、映像記録機器であった場合、映像出力を停止すると映像の記録が途中で中断または中止されてしまう。
【０００６】
本発明は、上記課題に鑑みてなされ、その目的は、映像を外部装置に出力する場合に消費電力の低減と、出力先での映像の記録を適切に行うことができる技術を実現することである。
【課題を解決するための手段】
【０００７】
上記課題を解決し、目的を達成するために、本発明の出力装置は、表示手段と、外部装置に映像を出力可能な出力手段と、前記映像の出力を制御する制御手段と、を有し、前記制御手段は、出力装置に対して操作のない無操作状態が所定の時間継続した場合に、前記映像が前記表示手段に表示されている状態ならば、前記表示手段を非表示とし、前記映像が前記表示手段に表示され、前記外部装置に出力されている状態ならば、前記表示手段を非表示とし、前記外部装置への映像出力は継続するように制御する。
【発明の効果】
【０００８】
本発明によれば、映像を外部装置に出力する際に消費電力の低減と、出力先での映像の記録を適切に行うことができる。
【図面の簡単な説明】
【０００９】
【図１】本実施形態の装置の外観構成を示す正面図（ａ）および背面図（ｂ）。
【図２】本実施形態の装置の内部構成を示すブロック図。
【図３】本実施形態の制御処理におけるメニュー画面を例示する図。
【図４】本実施形態の制御処理における設定画面を例示する図。
【図５】本実施形態の課題を説明する図。
【図６Ａ】本実施形態の制御処理を示すフローチャート。
【図６Ｂ】本実施形態の制御処理を示すフローチャート。
【図７】本実施形態の制御処理を説明する図。
【発明を実施するための形態】
【００１０】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１１】
本実施形態では、出力装置を撮像装置であるデジタル一眼レフカメラに適用した例について説明する。
【００１２】
＜装置構成＞図１および図２を参照して、本実施形態のデジタルカメラの構成および機能について説明する。
【００１３】
まず、図１を参照して、本実施形態のデジタルカメラ（以下、カメラ）１００の外観構成について説明する。
【００１４】
図１（ａ）はカメラ１００の前面斜視図であり、図１（ｂ）はカメラ１００の背面図である。
【００１５】
図１において、表示部１０１は、画像や各種情報を表示する、カメラ本体の背面に設けられたＬＣＤなどの表示デバイスである。また、表示部１０１は、静止画撮影後の静止画再生や記録中の動画表示、およびライブビュー表示機能を有する。シャッターボタン１０２は撮影指示を行うための押しボタン式の操作部材である。モードダイヤル１０３はカメラ１００の動作モードを切り替えるための回転式の操作部材である。メインダイヤル１０４は、シャッター速度や絞りなどの設定値が変更できる回転式の操作部材である。
【００１６】
メニューボタン１０５は、各種の設定可能なメニュー画面を表示部１０１に表示するための操作部材である。撮影設定ボタン１０６は、静止画や動画などの撮影モードにおける各種の撮影条件を設定するための操作部材である。十字キー１０７は、上、下、左、右のいずれかを押し込むことで、十字キー１０７の押した部分に応じた操作が可能な移動指示部材である。ＳＥＴボタン１０８は押しボタンであり、主に選択項目の決定などに用いられる。ライブビュー／録画ボタン１０９は、静止画撮影モードでは静止画を表示するライブビュー表示の起動／終了の指示を行い、動画記録モードでは動画記録処理の開始／停止の指示を行うための操作部材である。その他、本実施形態のカメラ１００は、カメラ本体の電源のオン／オフを切り替える電源スイッチ、表示部１０１の電源のオン（表示）／オフ（非表示）を切り替えるディスプレイスイッチなどを備える。電源スイッチおよびディスプレイスイッチは、ユーザ操作によるオン／オフの切り替えが可能であるとともに、システム制御部２０１によるオン／オフの切り替えも可能である。
【００１７】
図２は、本実施形態のカメラ１００の内部構成を示している。
【００１８】
図２において、撮影レンズ２０４はズームレンズ、フォーカスレンズを含むレンズ群である。シャッター２０５は絞り機能を備える。撮像部２０６は被写体の光学像を電気信号に変換するＣＣＤやＣＭＯＳ等で構成される撮像素子である。Ａ／Ｄ変換器２０７は、アナログ信号をデジタル信号に変換する。Ａ／Ｄ変換器２０７は、撮像部２０６から出力されるアナログ信号をデジタル信号に変換するために用いられる。バリア２０３は、カメラ１００の、撮影レンズ２０４を含む撮像系を覆うことにより、撮影レンズ２０４、シャッター２０５、撮像部２０６を含む撮像系の汚れや破損を防止する。なお、撮影レンズ２０４はカメラ１００に固定されているものであっても取り外し可能なものであってもよい。
【００１９】
画像処理部２０２は、Ａ／Ｄ変換器２０７からのデータ、または、メモリ制御部２０８からのデータに対し所定の画素補間、縮小といったリサイズ処理や色変換処理を行う。また、画像処理部２０２では、撮像した画像データを用いて所定の演算処理が行われ、得られた演算結果に基づいてシステム制御部２０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０２ではさらに、撮像した画像データを用いて所定の演算処理を行い、得られた演算結果に基づいてＴＴＬ方式のＡＷＢ（オートホワイトバランス）処理も行っている。
【００２０】
Ａ／Ｄ変換器２０７からの出力データは、画像処理部２０２およびメモリ制御部２０８を介して、或いは、メモリ制御部２０８を介してメモリ２０９に直接書き込まれる。メモリ２０９は、撮像部２０６によって得られ、Ａ／Ｄ変換器２０７によりデジタルデータに変換された画像データや、表示部１０１に表示するための画像データを格納する。メモリ２０９は、所定枚数の静止画や所定時間の動画および音声を格納するのに十分な記憶容量を備えている。
【００２１】
また、メモリ２０９は画像表示用のメモリ（ビデオメモリ）を兼ねている。Ｄ／Ａ変換器２１０は、メモリ２０９に格納されている画像表示用のデータをアナログ信号に変換して表示部１０１に供給する。こうして、メモリ２０９に書き込まれた表示用の画像データはＤ／Ａ変換器２１０を介して表示部１０１により表示される。表示部１０１は、ＬＣＤ等の表示器上に、Ｄ／Ａ変換器２１０からのアナログ信号に応じた表示を行う。Ａ／Ｄ変換器２０７によって一旦Ａ／Ｄ変換され、メモリ２０９に蓄積されたデジタル信号をＤ／Ａ変換器２１０においてアナログ変換し、表示部１０１に逐次転送して表示することで、電子ビューファインダ（ＥＶＦ）として機能し、ライブビューによるスルー画像の表示を行える。
【００２２】
不揮発性メモリ２１４は、電気的に消去・記憶可能なメモリであり、例えばＥＥＰＲＯＭ等が用いられる。不揮発性メモリ２１４には、システム制御部２０１の動作用の定数、プログラム等が記憶される。ここでいう、プログラムとは、本実施形態にて後述する制御処理のフローチャートを実行するためのプログラムのことである。また、不揮発性メモリ２１４は、後述する同時出力の設定や、節電の設定に関する設定値を記憶する。
【００２３】
システム制御部２０１は、カメラ１００全体を制御する。前述した不揮発性メモリ２１４に記憶されたプログラムを実行することで、後述する本実施形態の制御処理を実現する。２１３はシステムメモリであり、ＲＡＭが用いられる。システムメモリ２１３には、システム制御部２０１の動作用の定数、変数、外部装置から取得したＥＤＩＤ、不揮発性メモリ２１４から読み込んだプログラム等を展開する。また、システム制御部２０１はメモリ２０９、Ｄ／Ａ変換器２１０、表示部１０１等を制御することにより表示制御も行う。
【００２４】
システムタイマー２１２は各種制御に用いる時間や、内蔵された時計の時間を計測する計時部である。
【００２５】
モードダイヤル１０３、第１シャッタースイッチ１０２ａ、第２シャッタースイッチ１０２ｂ、操作部２１５はシステム制御部２０１に各種の動作指示を入力するための操作手段である。
【００２６】
モードダイヤル１０３は、システム制御部２０１の動作モードを静止画撮影モード、動画記録モード、再生モードなどのいずれかに切り替える。静止画撮影モードに含まれるモードとして、オートモード、オートシーン判別モード、マニュアルモード、シーン別撮影モード、プログラムＡＥモード、カスタムモードなどがある。モードダイヤル１０３で、静止画撮影モードに含まれるこれらのモードのいずれかに直接切り替えられる。あるいは、モードダイヤル１０３で静止画撮影モードに一旦切り替えた後に、静止画撮影モードに含まれるこれらのモードのいずれかに、他の操作部材を用いて切り替えるようにしてもよい。同様に、動画記録モードにも複数のモードが含まれていてもよい。
【００２７】
ライブビュー／録画ボタン１０９は、静止画記録モードでは、静止画のライブビュー表示を起動することが可能である。一方、動画記録モードでは、動画のライブビューでのみ記録が可能であるため、動画記録モードでカメラ１００を起動すると動画のライブビュー表示が起動される。動画記録モードでは、ライブビュー／録画ボタン１０９によりシステム制御部２０１に対して動画記録処理の開始／停止を指示する。システム制御部２０１は、カメラ１００の各部に動画記録開始通知を送出することで、撮像部２０６からの信号読み出しから記録媒体２２３に動画データを書き込む処理を開始し、動画記録停止通知を送出することで、撮像部２０６からの信号読み出しの停止および動画データの生成を完了させる。この場合、システム制御部２０１は、動画記録の開始／停止が指示されたタイミングで、後述するようにＲＥＣ開始／終了コマンドを通信部２２４を介して外部装置４００に送信してもよい。
【００２８】
第１シャッタースイッチ１０２ａは、カメラ１００に設けられたシャッターボタン１０２の操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００２９】
第２シャッタースイッチ１０２ｂは、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２０６からの信号読み出しから記録媒体２２３に画像データを書き込むまでの一連の撮影処理の動作を開始する。
【００３０】
操作部２１５の各操作部材は、表示部１０１に表示される種々の機能アイコンを選択操作することなどにより、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタンなどがある。例えば、メニューボタン１０５が押されると各種の設定可能なメニュー画面が表示部１０１に表示される。ユーザは、表示部１０１に表示されたメニュー画面と、十字キー１０７やＳＥＴボタン１０８とを用いて直感的に各種設定を行うことができる。また、操作部２１５の１つとして、表示部１０１に対する接触を検出可能なタッチパネルを有する。システム制御部２０１はタッチパネルへの以下のタッチ操作、あるいはタッチ状態を検出可能である。
【００３１】
電源制御部２１９は、電池検出回路、ＤＣ−ＤＣコンバータ、通電するブロックを切り替えるスイッチ回路等により構成され、電池の装着の有無、電池の種類、電池残量の検出を行う。また、電源制御部２１９は、その検出結果およびシステム制御部２０１の指示に基づいてＤＣ−ＤＣコンバータを制御し、必要な電圧を必要な期間、記録媒体２２３を含む各部へ供給する。
【００３２】
電源部２２０は、アルカリ電池やリチウム電池等の一次電池やＮｉＣｄ電池やＮｉＭＨ電池、リチウムイオン電池等の二次電池、ＡＣアダプタ等からなる。記録媒体Ｉ／Ｆ２２２は、メモリカードやハードディスク等の記録媒体２２３とのインターフェースである。記録媒体２２３は、撮影された画像を記録するためのメモリカード等の記録媒体であり、半導体メモリや磁気ディスク等から構成される。
【００３３】
本実施形態のカメラ１００は、図２に示すように、接続ケーブル３００を介して外部装置４００と通信可能に接続される。カメラ１００および外部装置４００は、ＨＤＭＩ（登録商標）（Ｈｉｇｈ−Ｄｅｆｉｎｉｔｉｏｎ Ｍｕｌｔｉｍｅｄｉａ Ｉｎｔｅｒｆａｃｅ）規格に対応する通信を行うことができる。なお、本実施形態の接続ケーブル３００は、例えばＨＤＭＩ規格に対応する通信インターフェースである。接続ケーブル３００には、ＤＤＣ（Ｄｉｓｐｌａｙ Ｄａｔａ Ｃｈａｎｎｅｌ）ラインおよびＴＭＤＳ（Ｔｒａｎｓｉｔｉｏｎ−Ｍｉｎｉｍｉｚｅｄ Ｄｉｆｆｅｒｅｎｔｉａｌ Ｓｉｇｎａｌｉｎｇ）ラインが含まれている。さらに、接続ケーブル３００には、ＣＥＣ（Ｃｏｎｓｕｍｅｒ Ｅｌｅｃｔｒｏｎｉｃｓ Ｃｏｎｔｒｏｌ）ラインが含まれている。
【００３４】
なお、本実施形態のカメラ１００は撮像装置に限定されず、パーソナルコンピュータ（ＰＣ）などの情報処理装置や携帯電話やその一種であるスマートフォンなどの通信装置であってもよい。また、外部装置４００は、ハードディスクレコーダやブルーレイレコーダなどの映像を記録可能な機器（映像記録機器）、テレビジョン受像機、パーソナルコンピュータなどの情報処理装置やプロジェクタなどの表示装置であってもよい。
【００３５】
図２において、カメラ１００のシステム制御部２０１は、外部装置４００から取得した外部装置４００のデバイス情報を解析することにより、外部装置４００の画像表示能力および音声処理能力を取得することができる。外部装置４００のデバイス情報とは、外部装置４００に記録されているＥＤＩＤ（Ｅｘｔｅｎｄｅｄ ｄｉｓｐｌａｙ ｉｄｅｎｔｉｆｉｃａｔｉｏｎ ｄａｔａ）またはＥ−ＥＤＩＤ（Ｅｎｈａｎｃｅｄ ＥＤＩＤ）である。ＥＤＩＤおよびＥ−ＥＤＩＤはいずれも、外部装置４００の識別情報、外部装置４００がサポートしている解像度、走査周波数、アスペクト比、色空間などに関する情報等が含まれている。ＥＥＤＩＤは、ＥＤＩＤを拡張したものであり、ＥＤＩＤよりも多くの能力情報を含む。例えば、Ｅ−ＥＤＩＤには、外部装置４００がサポートしている映像データおよび音声データのフォーマットなどに関する情報が含まれている。以下、ＥＤＩＤおよびＥ−ＥＤＩＤを「ＥＤＩＤ」と総称する。外部装置４００から接続ケーブル３００を介してＥＤＩＤを取得したカメラ１００は、ＤＤＣライン５０１を介して取得したＥＤＩＤを解析する。カメラ１００は、ＥＤＩＤの解析結果から外部装置４００の画像表示能力や音声処理能力などを認識することができる。さらに、カメラ１００は、外部装置４００の画像表示能力および音声処理能力に適した映像データおよび音声データを生成することができる。
【００３６】
通信部２２４は、接続ケーブル３００を接続するための接続端子（コネクタ）を有する。通信部２２４は、ＤＤＣラインを介して外部装置４００からＥＤＩＤを取得する。外部装置４００から取得されたＥＤＩＤは、システム制御部２０１に供給される。さらに、通信部２２４は、データ送信部２２４ａおよびコマンド処理部２２４ｂを有する。
【００３７】
データ送信部２２４ａは、外部装置４００の映像処理能力に適した映像データ、外部装置４００の音声処理能力に適した音声データおよび補助データを、ＴＭＤＳラインを介して外部装置４００に出力可能である。データ送信部２２４ａによって外部装置４００に出力される映像データおよび音声データは、外部装置４００から取得されるＥＤＩＤに応じて生成される。
【００３８】
コマンド処理部２２４ｂは、ＣＥＣラインを介して接続される外部装置４００に、ＣＥＣプロトコルに対応するコマンドを送信することができる。さらに、コマンド処理部２２４ｂは、ＣＥＣラインを介して接続される外部装置４００からＣＥＣプロトコルに対応するコマンドを受信することができる。
【００３９】
なお、コマンド処理部２２４ｂは、外部装置４００から受信したコマンドをシステム制御部２０１に供給することができる。システム制御部２０１は、コマンド処理部２２４ｂから供給されるコマンドを解析し、その解析結果に応じて、カメラ１００を制御する。
【００４０】
次に、外部装置４００の構成および機能について説明する。
【００４１】
外部装置４００が表示装置である場合、カメラ１００から受信したライブビュー画像やメニュー画面などの映像データを不図示の表示パネルに表示し、カメラ１００から受信した音声データを不図示のスピーカから出力する。外部装置４００が映像記録機器（レコーダ）である場合、カメラ１００から受信したライブビュー画像やメニュー画面などの映像データや音声データを不図示の記憶媒体に記憶する。外部装置４００はＥＤＩＤを記録する。さらに、外部装置４００は、外部装置４００の表示設定が変更された場合、変更された後の表示設定に応じて、ＥＤＩＤに含まれる情報を書き換える。
【００４２】
本実施形態のカメラ１００は、接続ケーブル３００を介して外部装置４００が接続された場合に表示部１０１と外部装置４００に対してライビュー画像やメニュー画面などの映像データを同時出力するような設定が可能である。
【００４３】
なお、ハードウェアの構成は図２に示すものに限定されず、例えば１つのハードウェアが表示制御、通信制御、撮影制御、画像処理制御等を行い、カメラ１００の各手段として機能してもよい。また、複数のハードウェアが協働して１つの手段として機能してもよい。
【００４４】
ここで、図３を参照して、ＨＤＭＩ接続された外部装置４００と表示部１０１への同時出力を設定する際のメニュー画面の一例を説明する。
【００４５】
ユーザがメニューボタン１０５を押すことで図３（ａ）に示すメニュー画面３００Ａが表示部１０１に表示される。ユーザは操作部２１５を操作して、「ＨＤＭＩ接続時の表示」３０１を選択することで、図３（ｂ）の設定画面３００Ｂが表示される。図３（ｂ）の設定画面３００Ｂにおいて選択項目３０２が選択された状態でユーザがＳＥＴボタン１０８を押下すると、表示部１０１と外部装置４００の同時表示を行う設定が行える。図３（ｂ）の設定画面３００Ｂでは、同時出力に設定した場合でも、映像を再生する場合や、メニュー画面を表示する場合は、表示部１０１には映像が表示されず、ＨＤＭＩ接続先の画面にだけ映像が表示されることを通知するためのガイド表示がされている。つまり、同時表示されるのはライブビュー画像である。
【００４６】
図３（ｂ）の設定画面３００Ｂにおいて下方向の十字キー１０７を押下すると、図３（ｃ）の設定画面３００Ｃに遷移する。図３（ｃ）の設定画面３００Ｃにおいて選択項目３０３を選択した状態でユーザがＳＥＴボタン１０８を押下すると、ＨＤＭＩ接続先だけに表示出力を行う設定が行える。
【００４７】
システム制御部２０１は、通信部２２４により取得した情報により、カメラ１００に、接続ケーブル３００を介して外部装置４００が接続され、ライブビュー表示が起動していると判定した場合に、映像の出力設定に応じて映像データの出力先を制御する。
【００４８】
出力先が外部接続先（外部装置４００）だけである場合は、撮像部２０６により生成され、かつ、画像処理部２０２により画像処理が行われた映像データにさらにＯＳＤ（Ｏｎ  Ｓｃｒｅｅｎ  Ｄｉｓｐｌａｙ）が重畳されたものがデータ送信部２２４ａによって外部装置４００に出力される。外部装置４００が表示装置である場合は、外部装置４００ではライブビュー画像にＯＳＤが重畳された映像データが表示される。これは、表示部１０１には映像データが出力されないので、外部装置４００に表示される映像でユーザが各種の設定を行えるようにするためである。この場合、不図示のマイクロフォンによって生成された音声データも映像データとともにデータ送信部２２４ａによって外部装置４００に出力される。ＯＳＤとは、撮像部２０６による撮像処理に用いられるパラメータやレンズ位置などの表示情報、メニュー画面に含まれるソフトウェアボタンなどの表示情報を含む。
【００４９】
後述する図５（ｃ）は外部装置４００に出力されたＯＳＤが重畳された映像データの表示例を示している。なお、操作部２１５に含まれる不図示のｉｎｆｏボタンによって表示される情報量を増減でき、ライブビュー表示において現在選択中のパラメータなどの情報を非表示に設定することもできる。ただし、ＯＳＤを非表示に設定している場合であっても、シャッターボタン１０２の押下によってＡＦが実行された場合には、測光値などの情報が表示される。また、ライブビュー／録画ボタン１０９の押下によって動画記録を開始した場合にも、動画記録中であることを示すアイコンが表示される。
【００５０】
以上のように、出力先が外部接続先（外部装置４００）だけである場合は、外部装置４００においてユーザ操作が可能なように映像データにＯＳＤが重畳され、また、後述する制御処理におけるディスプレイオフ時の映像出力の継続も行われない。このため、映像記録機器への映像出力には適していない。そこで、図３（ｃ）のように、メニュー画面３００Ｃにおいて外部接続先（外部装置４００）だけを出力先とする選択項目３０３にフォーカスが当たった場合は、「ＯＳＤが重畳します。所定時間無操作で節電します。外部レコーダ出力時は使用しないでください」などのガイド表示を行う。
【００５１】
出力先が内部モニタ（表示部１０１）と外部接続先（外部装置４００）である同時出力の場合は、表示部１０１は、撮像部２０６により生成され、画像処理部２０２により画像処理が施されたた映像データに対してＯＳＤが重畳されたライブビュー表示を行う。なお、上述したように、操作部２１５に含まれる不図示のｉｎｆｏボタンによって表示される情報量を増減し、各種の情報を非表示に設定することも可能であるが、映像データとしては表示する情報がないレイヤがＯＳＤとして重畳される。この場合、ユーザからの見た目では重畳されていないように見える。なお、各種の情報を非表示にした場合に、レイヤを重畳する処理自体を行わないようにしてもよい。
【００５２】
一方、データ送信部２２４ａから外部装置４００にはＯＳＤが重畳されていない映像データが出力される。外部装置４００が表示装置である場合は、外部装置４００ではＯＳＤが重畳されていない映像データがライブビュー表示される。また、外部装置４００が映像記録機器である場合は、ＯＳＤが重畳されていない映像データが記録される。不図示のマイクロフォンによって生成された音声データも映像データとともにデータ送信部２２４ａによって外部装置４００に出力される。図５（ｅ）は、ＯＳＤが重畳されていない映像データの表示例を示している。図５（ｅ）において、外部装置４００としての表示装置５０１と映像記録機器５０２に映像データを分配している装置５０３は、例えばＨＤＭＩハブである。
【００５３】
同時出力の場合は、外部装置４００が映像記録機器では、表示部１０１にＯＳＤが重畳された映像データを表示することで各種の設定を行い、同時にＯＳＤが重畳されていないクリーンな映像データを外部装置４００に出力し記録するユースケースが考えられる。反対に、ＯＳＤが重畳されている映像データが出力され、後述するディスプレイオフ時に映像出力の継続が行われない場合は映像記録機器への出力には適していないので、図３（ｃ）で説明したようなガイド表示を行う。
【００５４】
本実施形態のカメラ１００は、節電のための設定を行うことが可能である。図４を参照して、節電の設定を行う設定画面の一例を説明する。
【００５５】
ユーザがメニューボタン１０５を押すことで図４（ａ）に示すメニュー画面４００Ａが表示部１０１に表示される。ユーザは操作部２１５を操作して「節電」４０１を選択することで、図４（ｂ）の設定画面４００Ｂが表示される。図４（ｂ）の設定画面４００Ｂにおいて選択項目４０２を選択した状態でユーザがＳＥＴボタン１０８を押下すると、図４（ｃ）の設定画面４００Ｃに遷移する。図４（ｃ）の設定画面４００Ｃではカメラ１００が無操作状態のときにカメラ１００の表示部１０１の電源をオフし非表示にするディスプレイオフまでの時間の設定を行うことができる。例えば、図４（ｃ）の設定画面４００Ｃにおいて選択項目４０４を選択した状態で、ユーザがＳＥＴボタン１０８を押下すると、表示部１０１の電源がオフされるディスプレイオフまでの時間を１分に設定できる。ディスプレイオフが発動すると表示部１０１が非表示状態となり、撮像部２０６の駆動も停止されるのでカメラ１００の節電を行うことが可能である。
【００５６】
また、図４（ｂ）の設定画面４００Ｂではカメラ１００が無操作状態のときにカメラ１００の電源をオフにするオートパワーオフまでの時間の設定を行うことができる。例えば、図４（ｂ）の設定画面４００Ｂにおいて選択項目４０３を選択した状態で、ユーザがＳＥＴボタン１０８を押下すると、ディスプレイオフとなった後にカメラ１００の電源がオフされるオートパワーオフまでの時間を１分に設定することができる。なお、オートパワーオフまでの時間は、外部接続先の映像記録機器で映像データを記録することを考慮して、不図示の設定画面で「オートパワーオフしない」に設定することができるようにしてもよい。「オートパワーオフしない」に設定するとカメラ１００の無操作状態が所定の時間継続してもオートパワーオフはされなくなる。また、同時出力の場合は「オートパワーオフしない」に自動的に設定を変更する、または予め設定されたオートパワーオフ時間を延長し、出力先が外部装置４００だけの場合は予め設定された時間でオートパワーオフが行われるようにしてもよい。これら出力先の設定や、節電の設定に関する設定値は不揮発性メモリ２１４に格納される。
【００５７】
次に、図５を参照して、本実施形態の同時出力時にディスプレイオフが発動した場合の課題について説明する。
【００５８】
図４でカメラ１００に節電の設定が行われている場合は、カメラ１００に外部装置４００が未接続のまま、図５（ａ）のように表示部１０１だけにライブビュー表示を行っている状態で無操作状態が所定の時間継続するとディスプレイオフが発動する。この場合、図５（ｂ）のように表示部１０１の電源がオフされ、撮像部２０６の駆動が停止されても、ユーザに撮影の意思はないため不都合は生じない。
【００５９】
また、図４でカメラ１００に節電の設定が行われている場合であって、カメラ１００に外部装置４００が接続され、図５（ｃ）のように外部装置４００だけにライブビュー表示を行っている状態で無操作状態が所定の時間継続するとディスプレイオフが発動する。この場合、図５（ｄ）のように外部装置４００への映像データの出力が停止され、撮像部２０６の駆動が停止されても、ユーザに撮影の意思がないため不都合は生じない。しかしながら、カメラ１００に外部装置４００が接続され、同時出力の設定がされている場合に、図５（ｅ）のように表示部１０１と外部装置４００に映像データの同時表示を行っている状態で無操作状態が所定の時間継続してディスプレイオフが発動することを考える。この場合、図５（ｆ）のように外部装置４００への映像データの出力が停止され、撮像部２０６の駆動も停止されてしまうと、ＯＳＤが重畳されていないクリーンな映像データを外部装置４００で記録中にもかかわらず、ユーザの意図に反して外部装置４００への映像出力が停止してしまう。一方で、ディスプレイオフを無効としてしまうと、カメラ１００の消費電力が高いまま維持され、長時間の撮影が不能となるなどの不都合が発生する。このような不都合に鑑みて、本実施形態では、図６Ａおよび図６Ｂで後述するように、同時出力時に無操作状態が所定の時間継続してディスプレイオフが発動した場合には、表示部１０１の電源はオフにする一方、撮像を停止せずに映像出力は継続する制御処理を行う。
【００６０】
以下、図６Ａおよび図６Ｂを参照して、本実施形態の制御処理について説明する。
【００６１】
なお、図６Ａおよび図６Ｂの処理は、カメラ１００のシステム制御部２０１が不揮発性メモリ２１４から読み出したプログラムをシステムメモリ２１３に展開して実行することにより実現される。以下では、カメラ１００に外部装置４００が未接続であり、カメラ１００がライブビュー表示モードに設定された状態から起動された場合の処理を説明する。
【００６２】
Ｓ６０１では、システム制御部２０１は、撮像部２０６を制御して撮像処理を開始する。
【００６３】
Ｓ６０２では、システム制御部２０１は、内部モニタ（表示部１０１）の電源をオンにして点灯させ、ライブビュー表示を行う。図５（ａ）は、カメラ１００の表示部１０１にライブビュー表示を行っている状態を示している。
【００６４】
Ｓ６０３では、システム制御部２０１は、出力先を内部モニタ（表示部１０１）に設定する。システム制御部２０１は、システムメモリ２１３に保持されているため、出力先を表す状態変数を内部モニタ（表示部１０１）に設定する。
【００６５】
Ｓ６０４では、システム制御部２０１は、不揮発性メモリ２１４からディスプレイオフタイマーの設定時間を取得する。
【００６６】
Ｓ６０５では、システム制御部２０１は、ディスプレイオフタイマーをシステムタイマー２１２に設定する。
【００６７】
Ｓ６０６では、システム制御部２０１は、カメラ１００に対して何らかの操作を受けたか否かを判定し、操作を受けたと判定した場合はＳ６０７に進み、操作を受けたと判定しなかった場合はＳ６１８に進む。
【００６８】
Ｓ６０７では、システム制御部２０１は、システムタイマー２１２に設定されたディスプレイオフタイマーおよびオートパワーオフタイマーをリセットし、ディスプレイオフタイマーをリスタートさせる。
【００６９】
Ｓ６０８では、システム制御部２０１は、現在の状態がディスプレイオフ状態か否かを判定し、ディスプレイオフ状態であると判定した場合はＳ６０９に進み、ディスプレイオフ状態であると判定しなかった場合はＳ６０６に戻る。
【００７０】
Ｓ６０９では、システム制御部２０１は、ディスプレイオフ状態の解除を行う。システム制御部２０１は、システムメモリ２１３に保持されている、ディスプレイオフ状態を表す状態変数をクリアする。
【００７１】
Ｓ６１０では、システム制御部２０１は、出力先が内部モニタ（表示部１０１）であるか否かを判定し、内部モニタ（表示部１０１）であると判定した場合はＳ６１１に進み、内部モニタ（表示部１０１）であると判定しなかった場合はＳ６１３に進む。
【００７２】
Ｓ６１１では、システム制御部２０１は、撮像部２０６を制御して撮像処理を開始する。
【００７３】
Ｓ６１２では、システム制御部２０１は、内部モニタ（表示部１０１）の電源をオンにして点灯させ、Ｓ６０６に戻る。
【００７４】
Ｓ６１３では、システム制御部２０１は、出力先が外部接続先（外部装置４００）であるか否かを判定し、出力先が外部接続先であると判定した場合はＳ６１４に進み、出力先が外部接続先であると判定しなかった場合はＳ６１５に進む。
【００７５】
Ｓ６１４では、システム制御部２０１は、撮像部２０６を制御して撮像処理を開始する。
【００７６】
Ｓ６１５では、システム制御部２０１は、ライブビュー画像にＯＳＤを重畳した映像データを外部接続先に出力する処理を開始し、Ｓ６０６に戻る。図５（ｃ）は、ライブビュー画像にＯＳＤを重畳した映像の外部装置４００における表示例を示している。
【００７７】
Ｓ６１６では、システム制御部２０１は、不揮発性メモリ２１４から同時出力（表示部１０１と外部装置４００の同時表示）の設定を読み出し、出力先が同時出力であるか否かを判定する。システム制御部２１は、出力先が同時出力であると判定した場合はＳ６１７に進み、出力先が同時出力であると判定しなかった場合はＳ６０６に戻る。
【００７８】
Ｓ６１７では、システム制御部２０１は、内部モニタ（表示部１０１）の電源をオンにして点灯させ、Ｓ６０６に戻る。
【００７９】
Ｓ６１８では、システム制御部２０１は、接続ケーブル３００が接続されたか否かを判定し、接続ケーブル３００が接続されたと判定した場合はＳ６１９に進み、接続ケーブル３００が接続されたと判定しなかった場合はＳ６３６に進む。
【００８０】
Ｓ６１９では、システム制御部２０１は、システムタイマー２１２に設定されたディスプレイオフタイマーおよびオートパワーオフタイマーをリセットし、ディスプレイオフタイマーをリスタートさせる。
【００８１】
Ｓ６２０では、システム制御部２０１は、現在の状態がディスプレイオフ状態か否かを判定し、ディスプレイオフ状態であると判定した場合はＳ６２１に進み、ディスプレイオフ状態であると判定しなかった場合はＳ６２９に進む。
【００８２】
Ｓ６２１では、システム制御部２０１は、ディスプレイオフ状態の解除を行う。システム制御部２０１は、システムメモリ２１３に保持されている、ディスプレイオフ状態を表す状態変数をクリアする。
【００８３】
Ｓ６２２では、システム制御部２０１は、撮像部２０６を制御して撮像処理を開始する。
【００８４】
Ｓ６２３では、システム制御部２０１は、不揮発性メモリ２１４から同時出力（表示部１０１と外部装置４００の同時表示）の設定を読み出し、出力先が同時出力か否かを判定する。システム制御部２０１は、出力先が同時出力であると判定した場合はＳ６２６に進み、出力先が同時出力であると判定しなかった場合はＳ６２４に進む。
【００８５】
Ｓ６２４では、システム制御部２０１は、出力先を外部接続先（外部装置４００）に設定する。システム制御部２０１は、システムメモリ２１３に保持されている、出力先を表す状態変数を外部接続先（外部装置４００）に設定する。
【００８６】
Ｓ６２５では、システム制御部２０１は、ライブビュー画像にＯＳＤを重畳した映像データを外部接続先へ出力する処理を開始し、Ｓ６０６に戻る。
【００８７】
Ｓ６２６では、システム制御部２０１は、出力先を同時出力（表示部１０１と外部装置４００の同時表示）に設定する。システム制御部２０１は、システムメモリ２１３に保持されている、出力先を表す状態変数を同時出力（表示部１０１と外部装置４００の同時表示）に設定する。
【００８８】
Ｓ６２７では、システム制御部２０１は、ライブビュー画像にＯＳＤを重畳していない映像データを外部接続先へ出力する処理を開始する。図５（ｅ）は、ライブビュー画像にＯＳＤを重畳していない映像の外部装置４００における表示例を示している。
【００８９】
Ｓ６２８では、システム制御部２０１は、内部モニタ（表示部１０１）の電源をオンにして点灯させ、ライブビュー表示を行い、Ｓ６０６に戻る。
【００９０】
Ｓ６２９では、システム制御部２０１は、不揮発性メモリ２１４から同時出力（表示部１０１と外部装置４００の同時表示）の設定を読み出し、出力先が同時出力であるか否かを判定する。システム制御部２０１は、出力先が同時出力であると判定した場合はＳ６３３に進み、出力先が同時出力であると判定しなかった場合はＳ６３０に進む。
【００９１】
Ｓ６３０では、システム制御部２０１は、出力先を外部接続先（外部装置４００）に設定する。システム制御部２０１は、システムメモリ２１３に保持されている、出力先を表す状態変数を外部接続先（外部装置４００）に設定する。
【００９２】
Ｓ６３１では、システム制御部２０１は、ライブビュー画像にＯＳＤを重畳した映像データを外部接続先に出力する処理を開始する。
【００９３】
Ｓ６３２では、システム制御部２０１は、内部モニタ（表示部１０１）の電源をオフにして消灯させ、Ｓ６０６に戻る。
【００９４】
Ｓ６３３では、システム制御部２０１は、出力先を同時出力（表示部１０１と外部装置４００の同時表示）に設定する。システム制御部２０１は、システムメモリ２１３に保持されている、出力先を表す状態変数を同時出力（表示部１０１と外部装置４００の同時表示）に設定する。
【００９５】
Ｓ６３４では、システム制御部２０１は、ライブビュー画像にＯＳＤを重畳していない映像データを外部接続先に出力する処理を開始し、Ｓ６０６に戻る。
【００９６】
Ｓ６３５では、システム制御部２０１は、接続ケーブル３００が抜去されたか否かを判定し、接続ケーブル３００が抜去されたと判定した場合はＳ６３６に進み、接続ケーブル３００が抜去されたと判定しなかった場合はＳ６５０に進む。
【００９７】
Ｓ６３６では、システム制御部２０１は、システムタイマー２１２に設定されたディスプレイオフタイマーおよびオートパワーオフタイマーをリセットし、ディスプレイオフタイマーをリスタートさせる。
【００９８】
Ｓ６３７では、システム制御部２０１は、外部接続先への映像出力を停止する。
【００９９】
Ｓ６３８では、システム制御部２０１は、現在の状態がディスプレイオフ状態か否かを判定し、ディスプレイオフ状態であると判定した場合はＳ６３９に進み、ディスプレイオフ状態であると判定しなかった場合はＳ６４６に進む。
【０１００】
Ｓ６３９では、システム制御部２０１は、ディスプレイオフ状態の解除を行う。システム制御部２０１は、システムメモリ２１３に保持されている、ディスプレイオフ状態を表す状態変数をクリアする。
【０１０１】
Ｓ６４０では、システム制御部２０１は、不揮発性メモリ２１４から同時出力の設定を読み出し、出力先が同時出力（表示部１０１と外部装置４００の同時表示）であるか否かを判定する。システム制御部２０１は、出力先が同時出力であると判定した場合はＳ６４４に進み、出力先が同時出力であると判定しなかった場合はＳ６４１に進む。
【０１０２】
Ｓ６４１では、システム制御部２０１は、撮像部２０６を制御して撮像処理を開始する。
【０１０３】
Ｓ６４２では、システム制御部２０１は、出力先を内部モニタ（表示部１０１）に設定する。システム制御部２０１は、システムメモリ２１３に保持されている、出力先を表す状態変数を内部モニタ（表示部１０１）に設定する。
【０１０４】
Ｓ６４３では、システム制御部２０１は、内部モニタ（表示部１０１）の電源をオンにして点灯させ、ライブビュー表示を行い、Ｓ６０６に戻る。
【０１０５】
Ｓ６４４では、システム制御部２０１は、出力先を内部モニタ（表示部１０１）に設定する。システム制御部２０１は、システムメモリ２１３に保持されている、出力先を表す状態変数をモニタ（表示部１０１）に設定する。
【０１０６】
Ｓ６４５では、システム制御部２０１は、内部モニタ（表示部１０１）の電源をオンにして点灯させ、ライブビュー表示を行い、Ｓ６０６に戻る。
【０１０７】
Ｓ６４６では、システム制御部２０１は、不揮発性メモリ２１４から同時出力の設定を読み出し、出力先が同時出力（表示部１０１と外部装置４００の同時表示）であるか否かを判定する。システム制御部２０１は、出力先が同時出力であると判定した場合はＳ６４９に進み、出力先が同時出力であると判定しなかった場合はＳ６４７に進む。
【０１０８】
Ｓ６４７では、システム制御部２０１は、出力先を内部モニタ（表示部１０１）に設定する。システム制御部２０１は、システムメモリ２１３に保持されている、出力先を表す状態変数を内部モニタ（表示部１０１）に設定する。
【０１０９】
Ｓ６４８では、システム制御部２０１は、内部モニタ（表示部１０１）の電源をオンにして点灯させ、ライブビュー表示を行い、Ｓ６０６に戻る。
【０１１０】
Ｓ６４９では、システム制御部２０１は、出力先を内部モニタ（表示部１０１）に設定し、Ｓ６０６に戻る。システム制御部２０１は、システムメモリ２１３に保持されている、出力先を表す状態変数を内部モニタ（表示部１０１）に設定する。
【０１１１】
Ｓ６５０では、システム制御部２０１は、システムタイマー２１２に設定されたディスプレイオフタイマーの設定時間が到来したか否かを判定する。システム制御部２０１は、ディスプレイオフタイマー設定時間が到来したと判定した場合はＳ６５１に進み、ディスプレイオフタイマー設定時間が到来したと判定しなかった場合はＳ６６２に進む。
【０１１２】
Ｓ６５１では、システム制御部２０１は、内部モニタ（表示部１０１）の電源をオフにして消灯させ、ディスプレイオフ状態に設定する。システム制御部２０１は、システムメモリ２１３に保持されている、ディスプレイオフ状態を表す状態変数を設定する。
【０１１３】
Ｓ６５２では、システム制御部２０１は、不揮発性メモリ２１４からオートパワーオフタイマーの設定時間を取得する。
【０１１４】
Ｓ６５３では、システム制御部２０１は、オートパワーオフタイマーをシステムタイマー２１２に設定する。
【０１１５】
Ｓ６５４では、システム制御部２０１は、出力先が内部モニタ（表示部１０１）であるか否かを判定する。システム制御部２０１は、出力先が内部モニタ（表示部１０１）であると判定した場合はＳ６５５に進み、出力先が内部モニタ（表示部１０１）であると判定しなかった場合はＳ６５７に進む。
【０１１６】
Ｓ６５５では、システム制御部２０１は、内部モニタ（表示部１０１）の電源をオフにして消灯させる。
【０１１７】
Ｓ６５６では、システム制御部２０１は、撮像部２０６を制御して撮像処理を停止させ、Ｓ６６０に戻る。
【０１１８】
Ｓ６５７では、システム制御部２０１は、出力先が外部接続先（外部装置４００）であるか否かを判定し、出力先が外部接続先であると判定した場合はＳ６５８に進み、出力先が外部接続先であると判定しなかった場合はＳ６６０に進む。
【０１１９】
Ｓ６５８では、システム制御部２０１は、外部接続先（外部装置４００）への映像データの出力を停止する。
【０１２０】
Ｓ６５９では、システム制御部２０１は、撮像部２０６を制御して撮像処理を停止させ、Ｓ６０６に戻る。
【０１２１】
Ｓ６６０では、システム制御部２０１は、不揮発性メモリ２１４から同時出力の設定を読み出し、出力先が同時出力（表示部１０１と外部装置４００での同時表示）であるか否かを判定する。システム制御部２０１は、出力先が同時出力であると判定した場合はＳ６６１に進み、出力先が同時出力であると判定しなかった場合はＳ６０６に戻る。
【０１２２】
Ｓ６６１では、システム制御部２０１は、内部モニタ（表示部１０１）の電源をオフにして消灯させ、Ｓ６０６に戻る。
【０１２３】
Ｓ６６２では、システム制御部２０１は、システムタイマー２１２に設定されたオートパワーオフタイマーの設定時間が到来したか否かを判定する。システム制御部２０１は、オートパワーオフタイマー設定時間が到来したと判定した場合はＳ６６３に進み、オートパワーオフタイマー設定時間が到来したと判定しなかった場合はＳ６０６に戻る。
【０１２４】
Ｓ６６３では、システム制御部２０１は、システムの電源をオフにしてオートパワーオフ状態に設定する。システム制御部２０１は、システムメモリ２１３に保持されている、オートパワーオフ状態を表す状態変数を設定する。
【０１２５】
本実施形態の制御処理によれば、図７（ａ）のようにカメラ１００に外部装置４００が接続され、同時出力の設定（表示部１０１と外部装置４００同時表示）がされている場合においてディスプレイオフが発動した場合は、図７（ｂ）のように表示部１０１の電源をオフしつつ外部装置４００への映像出力は継続する。このように表示部１０１を非表示にすることで節電を行いつつ、ユーザの意図に反して外部装置４００への映像出力が停止してしまう不都合を解消することができる。
【０１２６】
なお、上述した実施形態ではライブビュー表示を行うことを前提としたが、静止画撮影モード、画像再生モード、メニュー表示などの動作状態では外部装置で映像データを記録するユースケースはないものと考えられる。そこで、静止画撮影モード、画像再生モード、メニュー表示などのいずれかの動作状態では同時出力の設定を不可としてもよい。また、画像再生モードでは外部装置へ記録するユースケースがあるとして同時出力の設定を可能としてもよい。この場合、画像再生モードにおいてもライブビュー表示と同様に出力先を外部装置だけにしたときのディスプレイオフ発動時は映像出力を停止し、同時出力時のディスプレイオフ発動時は映像出力を継続するようにしてもよい。
【０１２７】
また、上述した実施形態では、ディスプレイオフ発動時に出力先が外部接続先だけである場合は映像出力を停止し、同時出力である場合は映像出力を継続する制御例を説明した。これに対して、ディスプレイオフ発動時に、例えば、ＯＳＤを重畳した映像データを外部接続先に出力する場合は映像出力を停止し、ＯＳＤを重畳していない映像データを出力する場合は映像出力を継続するように制御してもよい。これは、同時出力時に外部接続先で映像データを記録することが想定される場合と同様の理由により、外部接続先が映像記録機器であった場合、ＯＳＤが重畳されているクリーンではない映像データを記録することは考えにくいからである。よって、ＯＳＤが重畳されていない映像データを外部接続先に出力する場合は、外部装置で適切に映像データを記録できるようにすることを優先し、ディスプレイオフ発動時に映像出力を継続する。また、ＯＳＤが重畳された映像データを出力する場合は節電を優先し、ディスプレイオフ発動時に映像出力を停止する。
【０１２８】
［他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１２９】
１００…デジタルカメラ、１０１…表示部、２０１…システム制御部、２０６…撮像部、２２４…通信部、３００…接続ケーブル、４００…外部装置
【図１】
2020005105.tif 000003
【図２】
2020005105.tif 000004
【図３】
2020005105.tif 000005
【図４】
2020005105.tif 000006
【図５】
2020005105.tif 000007
【図６Ａ】
2020005105.tif 000008
【図６Ｂ】
2020005105.tif 000009
【図７】
2020005105.tif 000010
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
表示手段と、
撮像手段と、
外部装置と通信する通信手段と、
前記撮像手段により撮像される映像を前記表示手段に表示する表示機能と、前記映像を外部装置に出力する出力機能とを制御する制御手段と、を有し、
前記制御手段は、前記表示機能を実行し、かつ前記出力機能を実行していない、という状態で、出力装置に対してユーザ操作のない無操作状態が所定の時間継続した場合、前記表示機能を制限すると共に、前記撮像手段による撮像を停止し、
前記表示機能を実行し、かつ前記出力機能を実行している、という状態で、前記出力装置に対してユーザ操作のない無操作状態が所定の時間継続した場合、前記表示機能を制限すると共に、前記撮像手段による撮像を継続するように制御することを特徴とする出力装置。
【請求項２】
前記表示機能の制限は、前記表示機能を停止することを含むことを特徴とする請求項１に記載の出力装置。
【請求項３】
前記制御手段は、前記表示機能を実行し、かつ前記出力機能を実行していない、という状態で、前記出力装置に対してユーザ操作のない無操作状態が所定の時間継続した場合、さらに前記出力機能を停止し、
前記表示機能を実行し、かつ前記出力機能を実行している、という状態で、前記出力装置に対してユーザ操作のない無操作状態が所定の時間継続した場合、さらに前記出力機能を継続することを特徴とする請求項１または２に記載の出力装置。
【請求項４】
前記出力装置に対してユーザ操作のない無操作状態が所定の時間経過した場合に前記表示機能を制限しないように、ユーザ操作によって予め設定することが可能であり、
前記出力装置に対してユーザ操作のない無操作状態が所定の時間経過した場合に前記表示機能を制限しないよう設定されている場合、前記制御手段は、前記出力装置に対してユーザ操作のない無操作状態が所定の時間経過したか否かにかかわらず、前記撮像手段による撮像を継続することを特徴とする請求項１から３のいずれか１項に記載の出力装置。
【請求項５】
前記所定の時間は、所定のユーザ操作によって予め任意の値に設定することが可能であることを特徴とする請求項１から４のいずれか１項に記載の出力装置。
【請求項６】
前記表示機能を実行している状態かつ前記出力機能を実行している状態になった場合、前記制御手段は、自動的に前記所定の時間をより長い時間に変更することを特徴とする請求項５に記載の出力装置。
【請求項７】
前記制御手段は、前記表示機能を実行せず、かつ前記出力機能を実行している、という状態に遷移するための指示を受け付けた場合、「前記出力装置に対してユーザ操作のない無操作状態が所定の時間継続した場合、前記出力機能を停止する」ことを通知することを特徴とする請求項１から６のいずれか１項に記載の出力装置。
【請求項８】
前記出力機能を実行している間、前記外部装置に出力した映像を記録するよう前記外部装置に指示するためのユーザ操作を受け付ける受付手段をさらに有することを特徴とする請求項１から７のいずれか１項に記載の出力装置。
【請求項９】
記録媒体と接続する接続手段をさらに有し、
前記制御手段は、ユーザ操作により指定された記録媒体に記録されているコンテンツを前記表示手段に表示する再生機能と、ユーザ操作により指定されたコンテンツを前記外部装置に出力する再生出力機能とを制御し、
前記再生機能を実行し、かつ前記再生出力機能を実行していない、という状態で、前記出力装置に対してユーザ操作のない無操作状態が所定の時間継続した場合、前記再生機能を制限し、
前記再生機能を実行し、かつ前記再生出力機能を実行している、という状態で、前記出力装置に対してユーザ操作のない無操作状態が所定の時間継続した場合、前記再生機能を制限すると共に、前記再生出力機能を継続するように制御することを特徴とする請求項１から８のいずれか１項に記載の出力装置。
【請求項１０】
記録媒体と接続する接続手段をさらに有し、
前記制御手段は、ユーザ操作により指定された記録媒体に記録されているコンテンツを前記表示手段に表示する再生機能を制御し、
前記再生機能の実行中は前記コンテンツを前記外部装置に出力しないように制御することを特徴とする請求項１から８のいずれか１項に記載の出力装置。
【請求項１１】
前記制御手段は、前記表示手段にメニュー画面を表示している間は、前記出力機能を実行しないことを特徴とする請求項１から１０のいずれか１項に記載の出力装置。
【請求項１２】
前記出力機能は、前記映像と共に、前記映像に重畳して表示するための情報を前記外部装置に出力する機能をさらに有し、
前記映像と共に、前記映像に重畳して表示するための情報を前記外部装置に出力する機能が実行されている場合、前記制御手段は、前記出力装置に対してユーザ操作のない無操作状態が所定の時間経過したとしても、前記撮像手段による撮像を継続することを特徴とする請求項１から１１のいずれか１項に記載の出力装置。
【請求項１３】
前記制御手段は、前記表示機能を実行し、かつ前記出力機能を実行している、という状態では、前記撮像手段による撮像処理に用いられるパラメータに関する情報を、前記映像に重畳して前記表示手段に表示するように制御し、
前記表示機能を実行せず、かつ前記出力機能を実行している、という状態では、前記撮像手段による撮像処理に用いられるパラメータに関する情報を、前記映像と共に、前記外部装置に出力するように制御することを特徴とする請求項１から１２のいずれか１項に記載の出力装置。
【請求項１４】
表示手段と、
撮像手段と、
外部装置と通信する通信手段と、
前記撮像手段により撮像される映像を前記表示手段に表示する表示機能と、前記撮像手段により撮像される映像を外部装置に出力する出力機能とを制御する制御手段と、を有し、
前記制御手段は、前記出力機能を実行し、前記表示機能を実行していない、という状態で、出力装置に対してユーザ操作のない無操作状態が所定の時間継続した場合、前記外部装置への前記映像の出力を制限し、
前記出力機能を実行し、前記表示機能を実行している状態で前記出力装置に対してユーザ操作のない無操作状態が所定の時間継続した場合、前記表示機能を制限すると共に、前記外部装置への前記映像の出力を継続するように制御することを特徴とする出力装置。
【請求項１５】
外部装置に映像を出力する出力手段と、
出力装置に対してユーザ操作のない無操作状態が所定の時間継続した場合、前記出力手段から前記映像と前記映像に重畳して表示するための情報が出力されている場合は、前記外部装置への映像出力を停止し、
前記出力手段から映像が出力され、前記映像に重畳して表示するための情報が出力されていない場合は前記外部装置への映像出力を継続するように制御する制御手段と、を有することを特徴とする出力装置。
【請求項１６】
表示手段をさらに有し、
前記制御手段は、前記映像を前記表示手段に表示し、かつ前記出力手段から前記映像が出力されている場合、前記映像に重畳して表示するための情報を、前記映像に重畳して前記表示手段に表示するように制御し、
前記映像を前記表示手段に表示せず、かつ前記出力手段から前記映像が出力されている場合、前記映像に重畳して表示するための情報を、前記映像と共に、前記外部装置に出力するように制御することを特徴とする請求項１５に記載の出力装置。
【請求項１７】
前記映像に重畳して表示するための情報は、前記出力装置に指示を入力するためのソフトウェアボタンを含むことを特徴とする請求項１６に記載の出力装置。
【請求項１８】
表示手段と、撮像手段と、外部装置と通信する通信手段と、を有する出力装置の制御方法であって、
前記撮像手段により撮像される映像を前記表示手段に表示する表示機能と、前記映像を外部装置に出力する出力機能とを制御するステップを有し、
前記制御するステップでは、前記表示機能を実行し、かつ前記出力機能を実行していない、という状態で、前記出力装置に対してユーザ操作のない無操作状態が所定の時間継続した場合、前記表示機能を制限すると共に、前記撮像手段による撮像を停止し、
前記表示機能を実行し、かつ前記出力機能を実行している、という状態で、前記出力装置に対してユーザ操作のない無操作状態が所定の時間継続した場合、前記表示機能を制限すると共に、前記撮像手段による撮像を継続するように制御することを特徴とする制御方法。
【請求項１９】
表示手段と、撮像手段と、外部装置と通信する通信手段と、を有する出力装置の制御方法であって、
前記撮像手段により撮像される映像を前記表示手段に表示する表示機能と、前記撮像手段により撮像される映像を外部装置に出力する出力機能とを制御するステップを有し、
前記制御するステップでは、前記出力機能を実行し、前記表示機能を実行していない、という状態で、前記出力装置に対してユーザ操作のない無操作状態が所定の時間継続した場合、前記外部装置への前記映像の出力を制限し、
前記出力機能を実行し、前記表示機能を実行している状態で前記出力装置に対してユーザ操作のない無操作状態が所定の時間継続した場合、前記表示機能を制限すると共に、前記外部装置への前記映像の出力を継続するように制御することを特徴とする制御方法。
【請求項２０】
外部装置に映像を出力する出力手段を有する出力装置の制御方法であって、
前記出力装置に対してユーザ操作のない無操作状態が所定の時間継続した場合、前記出力手段から前記映像と前記映像に重畳して表示するための情報が出力されている場合は、前記外部装置への映像出力を停止し、
前記出力手段から前記映像が出力され、前記映像に重畳して表示するための情報が出力されていない場合は、前記外部装置への映像出力を継続するように制御するステップを有することを特徴とする制御方法。
【請求項２１】
コンピュータを、請求項１から１７のいずれか１項に記載された出力装置の制御手段として機能させるためのプログラム。
【手続補正２】
【補正対象書類名】明細書
【補正対象項目名】０００７
【補正方法】変更
【補正の内容】
【０００７】
上記課題を解決し、目的を達成するために、本発明の出力装置は、表示手段と、撮像手段と、外部装置と通信する通信手段と、前記撮像手段により撮像される映像を前記表示手段に表示する表示機能と、前記映像を外部装置に出力する出力機能とを制御する制御手段と、を有し、前記制御手段は、前記表示機能を実行し、かつ前記出力機能を実行していない、という状態で、前記出力装置に対してユーザ操作のない無操作状態が所定の時間継続した場合、前記表示機能を制限すると共に、前記撮像手段による撮像を停止し、前記表示機能を実行し、かつ前記出力機能を実行している、という状態で、前記出力装置に対してユーザ操作のない無操作状態が所定の時間継続した場合、前記表示機能を制限すると共に、前記撮像手段による撮像を継続するように制御する。
【手続補正３】
【補正対象書類名】明細書
【補正対象項目名】００６４
【補正方法】変更
【補正の内容】
【００６４】
Ｓ６０３では、システム制御部２０１は、出力先を内部モニタ（表示部１０１）に設定する。システム制御部２０１は、システムメモリ２１３に保持されている、出力先を表す状態変数を内部モニタ（表示部１０１）に設定する。
【手続補正４】
【補正対象書類名】明細書
【補正対象項目名】００７４
【補正方法】変更
【補正の内容】
【００７４】
Ｓ６１３では、システム制御部２０１は、出力先が外部接続先（外部装置４００）であるか否かを判定し、出力先が外部接続先であると判定した場合はＳ６１４に進み、出力先が外部接続先であると判定しなかった場合はＳ６１６に進む。
【手続補正５】
【補正対象書類名】明細書
【補正対象項目名】００７７
【補正方法】変更
【補正の内容】
【００７７】
Ｓ６１６では、システム制御部２０１は、不揮発性メモリ２１４から同時出力（表示部１０１と外部装置４００の同時表示）の設定を読み出し、出力先が同時出力であるか否かを判定する。システム制御部２０１は、出力先が同時出力であると判定した場合はＳ６１７に進み、出力先が同時出力であると判定しなかった場合はＳ６０６に戻る。
【手続補正６】
【補正対象書類名】明細書
【補正対象項目名】００７９
【補正方法】変更
【補正の内容】
【００７９】
Ｓ６１８では、システム制御部２０１は、接続ケーブル３００が接続されたか否かを判定し、接続ケーブル３００が接続されたと判定した場合はＳ６１９に進み、接続ケーブル３００が接続されたと判定しなかった場合はＳ６３５に進む。
【手続補正７】
【補正対象書類名】明細書
【補正対象項目名】０１１７
【補正方法】変更
【補正の内容】
【０１１７】
Ｓ６５６では、システム制御部２０１は、撮像部２０６を制御して撮像処理を停止させ、Ｓ６０６に戻る。